(57)【要約】【課題】本発明はパソコンデスクの装飾品を開示した。【解決手段】円柱体とベースとを含み、前記円柱体が前記ベースの上側面に固定され、前記円柱体の右側面には収納チャンバが設置され、前記収納チャンバの中にはファン機構が設置され、前記円柱体の左側面には照明チャンバが設置され、前記照明チャンバの中には照明機構が設置され、前記円柱体の頂部側面には二組の固定ロッドが固定的に設置され、二組の前記固定ロッドの高さは異なり、前記固定ロッドの頂部側面には蝶形装飾品が固定的に設置され、前記蝶形装飾品は軟質の設計であり、前記蝶形装飾品は風に吹き付けられると揺れ動け、本発明のパソコンデスクの装飾品はファンとして使われることができ、熱い天気の時に風を吹け、また前記照明機構は夜間にデスクを明るく照らすことができ、キーボードを打つこと又は字を書くことに便利である。【選択図】図１
2020182799.tif 000002
【特許請求の範囲】
【請求項１】
正面視で、円柱体とベースとを含み、前記円柱体が前記ベースの上側面に固定され、前記円柱体の右側面には収納チャンバが設置され、前記収納チャンバの中にはファン機構が設置され、前記円柱体の左側面には照明チャンバが設置され、前記照明チャンバの中には照明機構が設置され、前記円柱体の頂部側面には二組の固定ロッドが固定的に設置され、二組の前記固定ロッドの高さは異なり、前記固定ロッドの頂部側面には蝶形装飾品が固定的に設置され、前記蝶形装飾品は軟質の設計であり、前記蝶形装飾品は風に吹き付けられると揺れ動け、前記収納チャンバの左側の前記円柱体の中には伝動チャンバが設置され、前記伝動チャンバの左側の前記円柱体の中には動力チャンバが設置され、前記動力チャンバの中には動力機構が設置され、前記動力チャンバの底部の前記円柱体の中には中部空きチャンバが設置され、前記中部空きチャンバの頂部が前記動力チャンバの底部と連通しており、前記ベースの頂面には円柱ブロックが固定的に設置され、前記円柱ブロックが前記円柱体と隙間によって協働され、前記円柱ブロックの頂部面には円形溝が設置され、前記円形溝の中には歯付き円柱カバーが固定的に設置され、前記歯付き円柱カバーの中には上下に伸びている長ラックが回転できるように設置され、前記長ラックの底部側面には旋転ブロックが固定的に設置され、前記旋転ブロックが前記ベースと回転できるように連結され、前記長ラックの頂部の伸びている部分が前記伝動チャンバの中に伸びており、前記ベースの頂部面には二組の左右対称の固定ブロックが固定的に設置され、前記固定ブロックの中には前記円柱体の上昇と下降とを制御できる昇降機構が設置されたことを特徴とするパソコンデスクの装飾品。
【請求項２】
前記ファン機構は前記伝動チャンバと前記収納チャンバとの間に回転できるように設置された回転円柱を含み、前記回転円柱の左側には前記伝動チャンバの中に位置している大ギヤが固定的に設置され、前記大ギヤが前記長ラックと噛み合っており、前記回転円柱の右側の伸びている部分が前記収納チャンバの中に伸びており、また前記回転円柱の外周には支持板が固定的に設置され、前記支持板の中には長空きチャンバが設置され、前記長空きチャンバの中にはファン軸が回転できるように設置され、前記回転円柱の右側の伸びている部分が前記支持板を貫通しており、また前記ファン軸の外周にはファンが固定的に設置され、前記長空きチャンバの中に位置している前記ファン軸の外周には従動プーリが固定的に設置され、前記回転円柱の中には動力軸が回転できるように設置され、前記動力軸の右側の伸びている部分が前記長空きチャンバの中に伸びており、また前記動力軸の右側末端には動力プーリが固定的に設置され、前記動力プーリと前記従動プーリとが第一ベルトによって連結されたことを特徴とする請求項１に記載のパソコンデスクの装飾品。
【請求項３】
前記動力機構は前記動力チャンバの左側内壁の中に固定的に嵌められたモーターを含み、前記モーターが前記動力軸と動力が伝達できるように連結され、前記動力チャンバの中に位置している前記動力軸の外周には第一プーリが固定的に設置され、前記中部空きチャンバの中には横軸が回転できるように設置され、前記横軸の外周には第二プーリが固定的に設置され、前記第二プーリと前記第一プーリとの間には第二ベルトによって連結され、前記横軸の外周には二組の扇状ギヤが固定的に設置され、二組の前記扇状ギヤがそれぞれ前記第二プーリの左右両側に位置しており、前記円形溝と前記ネジ山ブロックとの間には上下に伸びている伝動回転軸が回転できるように設置され、前記伝動回転軸の頂部末端にはフェイスギヤが固定的に設置され、前記フェイスギヤは前記扇状ギヤと間欠的に噛み合うことができ、それによって時計回り方向又は反時計回り方向への回転を実現し、前記伝動回転軸の底端には前記円形溝の中に位置している第二ギヤが固定的に設置され、前記第二ギヤが前記歯付き円柱カバーと噛み合っており、また前記第二ギヤは前記歯付き円柱カバーでスライドすることができることを特徴とする請求項１に記載のパソコンデスクの装飾品。
【請求項４】
前記昇降機構は前記固定ブロックの片側端面に設置されたスライド溝を含み、二組の前記スライド溝の中にはいずれもスライドブロックが対称的にスライドできるように設置され、二組の前記スライドブロックの間には円環が固定的に設置され、前記円環が前記円柱体の外周にカバーされ、また前記円環が前記円柱体と回転できるように連結され、左側に位置している前記スライド溝の中にはネジボルト軸が回転できるように設置され、前記ネジボルト軸の頂部の伸びている部分が前記固定ブロックを貫通しており、また前記ネジボルト軸の頂部末端にはつまみが固定的に設置され、前記ネジボルト軸が前記スライドブロックとネジ山によって嵌合されたことを特徴とする請求項１に記載のパソコンデスクの装飾品。
【請求項５】
前記照明機構は前記照明チャンバの中に設置された揺れ動きロッドを含み、前記揺れ動きロッドの頂部が前記照明チャンバの頂壁とヒンジで連結され、前記揺れ動きロッドの底部には照明ライトが固定され、前記照明チャンバの頂部の前記円柱体の中には小スライド溝が設置され、前記小スライド溝の中にはネジ山ブロックがスライドできるように設置され、前記小スライド溝の左側には蝶形つまみが回転できるように設置され、前記蝶形つまみの右側面にはねじロッドが固定的に設置され、前記ねじロッドが前記ネジ山ブロックとネジ山によって嵌合され、前記ネジ山ブロックの右側面には引き紐が固定的に設置され、前記引き紐が前記円柱体の中に回転できるように設置された二組の糸巻き輪を巻き付けた後に前記揺れ動きロッドと固定されたことを特徴とする請求項１に記載のパソコンデスクの装飾品。
【発明の詳細な説明】
【技術分野】
【０００１】
本発明は装飾品技術分野に関わり、具体的にはパソコンデスクの装飾品である。
【背景技術】
【０００２】
今、市販されているデスクを飾る装飾品は大体装飾の機能しか持っていないため、機能と構成とが単一で、デザインは古く、デスクに置いても置かなくても差別はなく、従って、機能が多様なパソコンデスクの装飾品をデザインする必要がある。
【先行技術文献】
【特許文献】
【０００３】
【特許文献１】中国特許出願公開第１０５３６１５３７号明細書
【発明の概要】
【発明が解決しようとする課題】
【０００４】
本発明はパソコンデスクの装飾品を提供し、既存技術にある上記欠点を解消することを目的とする。
【課題を解決するための手段】
【０００５】
本発明のパソコンデスクの装飾品は、円柱体とベースとを含み、前記円柱体が前記ベースの上側面に固定され、前記円柱体の右側面には収納チャンバが設置され、前記収納チャンバの中にはファン機構が設置され、前記円柱体の左側面には照明チャンバが設置され、前記照明チャンバの中には照明機構が設置され、前記円柱体の頂部側面には二組の固定ロッドが固定的に設置され、二組の前記固定ロッドの高さは異なり、前記固定ロッドの頂部側面には蝶形装飾品が固定的に設置され、前記蝶形装飾品は軟質の設計であり、前記蝶形装飾品は風に吹き付けられると揺れ動け、前記収納チャンバの左側の前記円柱体の中には伝動チャンバが設置され、前記伝動チャンバの左側の前記円柱体の中には動力チャンバが設置され、前記動力チャンバの中には動力機構が設置され、前記動力チャンバの底部の前記円柱体の中には中部空きチャンバが設置され、前記中部空きチャンバの頂部が前記動力チャンバの底部と連通しており、前記ベースの頂面には円柱ブロックが固定的に設置され、前記円柱ブロックが前記円柱体と隙間によって協働され、前記円柱ブロックの頂部面には円形溝が設置され、前記円形溝の中には歯付き円柱カバーが固定的に設置され、前記歯付き円柱カバーの中には上下に伸びている長ラックが回転できるように設置され、前記長ラックの底部側面には旋転ブロックが固定的に設置され、前記旋転ブロックが前記ベースと回転できるように連結され、前記長ラックの頂部の伸びている部分が前記伝動チャンバの中に伸びており、前記ベースの頂部面には二組の左右対称の固定ブロックが固定的に設置され、前記固定ブロックの中には前記円柱体の上昇と下降とを制御できる昇降機構が設置された。
【０００６】
さらなる技術プランには、前記ファン機構は前記伝動チャンバと前記収納チャンバとの間に回転できるように設置された回転円柱を含み、前記回転円柱の左側には前記伝動チャンバの中に位置している大ギヤが固定的に設置され、前記大ギヤが前記長ラックと噛み合っており、前記回転円柱の右側の伸びている部分が前記収納チャンバの中に伸びており、また前記回転円柱の外周には支持板が固定的に設置され、前記支持板の中には長空きチャンバが設置され、前記長空きチャンバの中にはファン軸が回転できるように設置され、前記回転円柱の右側の伸びている部分が前記支持板を貫通しており、また前記ファン軸の外周にはファンが固定的に設置され、前記長空きチャンバの中に位置している前記ファン軸の外周には従動プーリが固定的に設置され、前記回転円柱の中には動力軸が回転できるように設置され、前記動力軸の右側の伸びている部分が前記長空きチャンバの中に伸びており、また前記動力軸の右側末端には動力プーリが固定的に設置され、前記動力プーリと前記従動プーリとが第一ベルトによって連結された。
【０００７】
さらなる技術プランには、前記動力機構は前記動力チャンバの左側内壁の中に固定的に嵌められたモーターを含み、前記モーターが前記動力軸と動力が伝達できるように連結され、前記動力チャンバの中に位置している前記動力軸の外周には第一プーリが固定的に設置され、前記中部空きチャンバの中には横軸が回転できるように設置され、前記横軸の外周には第二プーリが固定的に設置され、前記第二プーリと前記第一プーリとの間には第二ベルトによって連結され、前記横軸の外周には二組の扇状ギヤが固定的に設置され、二組の前記扇状ギヤがそれぞれ前記第二プーリの左右両側に位置しており、前記円形溝と前記ネジ山ブロックとの間には上下に伸びている伝動回転軸が回転できるように設置され、前記伝動回転軸の頂部末端にはフェイスギヤが固定的に設置され、前記フェイスギヤは前記扇状ギヤと間欠的に噛み合うことができ、それによって時計回り方向又は反時計回り方向への回転を実現し、前記伝動回転軸の底端には前記円形溝の中に位置している第二ギヤが固定的に設置され、前記第二ギヤが前記歯付き円柱カバーと噛み合っており、また前記第二ギヤは前記歯付き円柱カバーでスライドすることができる。
【０００８】
さらなる技術プランには、前記昇降機構は前記固定ブロックの片側端面に設置されたスライド溝を含み、二組の前記スライド溝の中にはいずれもスライドブロックが対称的にスライドできるように設置され、二組の前記スライドブロックの間には円環が固定的に設置され、前記円環が前記円柱体の外周にカバーされ、また前記円環が前記円柱体と回転できるように連結され、左側に位置している前記スライド溝の中にはネジボルト軸が回転できるように設置され、前記ネジボルト軸の頂部の伸びている部分が前記固定ブロックを貫通しており、また前記ネジボルト軸の頂部末端にはつまみが固定的に設置され、前記ネジボルト軸が前記スライドブロックとネジ山によって嵌合された。
【０００９】
さらなる技術プランには、前記照明機構は前記照明チャンバの中に設置された揺れ動きロッドを含み、前記揺れ動きロッドの頂部が前記照明チャンバの頂壁とヒンジで連結され、前記揺れ動きロッドの底部には照明ライトが固定され、前記照明チャンバの頂部の前記円柱体の中には小スライド溝が設置され、前記小スライド溝の中にはネジ山ブロックがスライドできるように設置され、前記小スライド溝の左側には蝶形つまみが回転できるように設置され、前記蝶形つまみの右側面にはねじロッドが固定的に設置され、前記ねじロッドが前記ネジ山ブロックとネジ山によって嵌合され、前記ネジ山ブロックの右側面には引き紐が固定的に設置され、前記引き紐が前記円柱体の中に回転できるように設置された二組の糸巻き輪を巻き付けた後に前記揺れ動きロッドと固定された。
【発明の効果】
【００１０】
本発明の有益な効果は：本発明のパソコンデスクの装飾品はファンとして使われることができ、熱い天気の時に風を吹け、また前記照明機構は夜間にデスクを明るく照らすことができ、キーボードを打つこと又は字を書くことに便利である。
【図面の簡単な説明】
【００１１】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明のパソコンデスクの装飾品の内部全体構成概略図
【図２】図２は本発明の中の大ギヤのところの部分拡大概略図
【図３】図３は本発明の中のフェイスギヤのところの部分拡大概略図
【図４】図４は本発明の中の糸巻き輪のところの部分拡大概略図
【発明を実施するための形態】
【００１３】
図１〜４を参照し、本発明の実施例のパソコンデスクの装飾品は、円柱体１０とベース１２とを含み、前記円柱体１０が前記ベース１２の上側面に固定され、前記円柱体１０の右側面には収納チャンバ１１が設置され、前記収納チャンバ１１の中にはファン機構７１が設置され、前記円柱体１０の左側面には照明チャンバ２４が設置され、前記照明チャンバ２４の中には照明機構７３が設置され、前記円柱体１０の頂部側面には二組の固定ロッド１７が固定的に設置され、二組の前記固定ロッド２７の高さは異なり、前記固定ロッド２７の頂部側面には蝶形装飾品２８が固定的に設置され、前記蝶形装飾品２８は軟質の設計であり、前記蝶形装飾品２８は風に吹き付けられると揺れ動け、前記収納チャンバ１１の左側の前記円柱体１０の中には伝動チャンバ３８が設置され、前記伝動チャンバ３８の左側の前記円柱体１０の中には動力チャンバ４０が設置され、前記動力チャンバ４０の中には動力機構７４が設置され、前記動力チャンバ４０の底部の前記円柱体１０の中には中部空きチャンバ５９が設置され、前記中部空きチャンバ５９の頂部が前記動力チャンバ４０の底部と連通しており、前記ベース１２の頂面には円柱ブロック１３が固定的に設置され、前記円柱ブロック１３が前記円柱体１０と隙間によって協働され、前記円柱ブロック１３の頂部面には円形溝１４が設置され、前記円形溝１４の中には歯付き円柱カバー１５が固定的に設置され、前記歯付き円柱カバー１５の中には上下に伸びている長ラック１７が回転できるように設置され、前記長ラック１７の底部側面には旋転ブロック６０が固定的に設置され、前記旋転ブロック６０が前記ベース１２と回転できるように連結され、前記長ラック１７の頂部の伸びている部分が前記伝動チャンバ３８の中に伸びており、前記ベース１２の頂部面には二組の左右対称の固定ブロック１９が固定的に設置され、前記固定ブロック１９の中には前記円柱体１０の上昇と下降とを制御できる昇降機構７２が設置された。
【００１４】
有益な又は例示のように、前記ファン機構７１は前記伝動チャンバ３８と前記収納チャンバ１１との間に回転できるように設置された回転円柱３７を含み、前記回転円柱３７の左側には前記伝動チャンバ３８の中に位置している大ギヤ３９が固定的に設置され、前記大ギヤ３９が前記長ラック１７と噛み合っており、前記回転円柱３７の右側の伸びている部分が前記収納チャンバ１１の中に伸びており、また前記回転円柱３７の外周には支持板２９が固定的に設置され、前記支持板２９の中には長空きチャンバ３４が設置され、前記長空きチャンバ３４の中にはファン軸３１が回転できるように設置され、前記回転円柱３７の右側の伸びている部分が前記支持板２９を貫通しており、また前記ファン軸３１の外周にはファン３０が固定的に設置され、前記長空きチャンバ３４の中に位置している前記ファン軸３１の外周には従動プーリ３２が固定的に設置され、前記回転円柱３７の中には動力軸３６が回転できるように設置され、前記動力軸３６の右側の伸びている部分が前記長空きチャンバ３４の中に伸びており、また前記動力軸３６の右側末端には動力プーリ６１が固定的に設置され、前記動力プーリ６１と前記従動プーリ３２とが第一ベルト３３によって連結され、前記動力軸３６の回転によって、前記ファン軸３１を回転連動させ、更に前記ファン３０が風を吹くことができ、前記円柱体１０が上方へスライドすることによって、前記長ラック１７が前記大ギヤ３９を引き動かして回転させ、更に前記ファン３０が前記収納チャンバ１１の中に収納され又は前記収納チャンバ１１から回転して出ることができる。
【００１５】
有益な又は例示のように、前記動力機構７４は前記動力チャンバ４０の左側内壁の中に固定的に嵌められたモーター４１を含み、前記モーター４１が前記動力軸３６と動力が伝達できるように連結され、前記動力チャンバ４０の中に位置している前記動力軸３６の外周には第一プーリ４２が固定的に設置され、前記中部空きチャンバ５９の中には横軸４４が回転できるように設置され、前記横軸４４の外周には第二プーリ４６が固定的に設置され、前記第二プーリ４６と前記第一プーリ４２との間には第二ベルト４３によって連結され、前記横軸４４の外周には二組の扇状ギヤ４５が固定的に設置され、二組の前記扇状ギヤ４５がそれぞれ前記第二プーリ４６の左右両側に位置しており、前記円形溝１４と前記ネジ山ブロック５０との間には上下に伸びている伝動回転軸１８が回転できるように設置され、前記伝動回転軸１８の頂部末端にはフェイスギヤ４７が固定的に設置され、前記フェイスギヤ４７は前記扇状ギヤ４５と間欠的に噛み合うことができ、それによって時計回り方向又は反時計回り方向への回転を実現し、前記伝動回転軸１８の底端には前記円形溝１４の中に位置している第二ギヤ１６が固定的に設置され、前記第二ギヤ１６が前記歯付き円柱カバー１５と噛み合っており、また前記第二ギヤ１６は前記歯付き円柱カバー１５でスライドすることができ、前記モーター４１の作動によって、前記第一プーリ４２が前記横軸４４を回転連動させ、更に前記扇状ギヤ４５が前記フェイスギヤ４７を連動させて時計回り方向と反時計回り方向に回転させ、それによって前記円柱体１０の揺れ動きを実現し、更に前記ファン３０が揺れ動いて風を吹くことができる。
【００１６】
有益な又は例示のように、前記昇降機構７２は前記固定ブロック１９の片側端面に設置されたスライド溝６７を含み、二組の前記スライド溝６７の中にはいずれもスライドブロック２２が対称的にスライドできるように設置され、二組の前記スライドブロック２２の間には円環２３が固定的に設置され、前記円環２３が前記円柱体１０の外周にカバーされ、また前記円環２３が前記円柱体１０と回転できるように連結され、左側に位置している前記スライド溝６７の中にはネジボルト軸２１が回転できるように設置され、前記ネジボルト軸２１の頂部の伸びている部分が前記固定ブロック１９を貫通しており、また前記ネジボルト軸２１の頂部末端にはつまみ２０が固定的に設置され、前記ネジボルト軸２１が前記スライドブロック２２とネジ山によって嵌合され、手で前記つまみ２０を回すことによって、前記ネジボルト軸２１が前記スライドブロック２２を上下に移動連動させ、更に前記円柱体１０の昇降を実現する。
【００１７】
有益な又は例示のように、前記照明機構７３は前記照明チャンバ２４の中に設置された揺れ動きロッド２６を含み、前記揺れ動きロッド２６の頂部が前記照明チャンバ２４の頂壁とヒンジで連結され、前記揺れ動きロッド２６の底部には照明ライト２５が固定され、前記照明チャンバ２４の頂部の前記円柱体１０の中には小スライド溝５１が設置され、前記小スライド溝５１の中にはネジ山ブロック５０がスライドできるように設置され、前記小スライド溝５１の左側には蝶形つまみ４８が回転できるように設置され、前記蝶形つまみ４８の右側面にはねじロッド４９が固定的に設置され、前記ねじロッド４９が前記ネジ山ブロック５０とネジ山によって嵌合され、前記ネジ山ブロック５０の右側面には引き紐５３が固定的に設置され、前記引き紐５３が前記円柱体１０の中に回転できるように設置された二組の糸巻き輪５２を巻き付けた後に前記揺れ動きロッド２６と固定され、手で前記蝶形つまみ４８を回すことによって、ネジ山ブロック５０が左右にスライドすることができ、更に揺れ動きロッド２６が揺れ動け、照明角度を調節できる。
【００１８】
使用の時、最初につまみ２０を手で回し、それによってネジボルト軸２１がスライドブロック２２を上方へ移動連動させ、更に円柱体１０が上方へ移動することを実現し、円柱体１０が上方へ移動し、それによって長ラック１７が大ギヤ３９を回転連動させ、更に回転円柱３７が支持板２９を反転連動させ、それによってファン３０が収納チャンバ１１の外部まで反転し、この時にモーター４１を制御して作動させ、それによって第一プーリ４２が第二プーリ４６を回転連動させ、更に扇状ギヤ４５が間欠的にフェイスギヤ４７を時計回り方向又は反時計回り方向へ回転連動させ、ファン３０の揺れ動きを実現し、またモーター４１が動力軸３６を回転連動させ、それによってファン軸３１が回転し、更にファン３０が風を吹くことを実現し、前記ファン３０が風を吹く時、気流が蝶形装飾品２８を連動させて揺れ動かせることができ、手で蝶形つまみ４８を回転させることによって、ネジ山ブロック５０が左右へスライドでき、更に揺れ動きロッド２６が揺れ動け、照明角度を調節できる。
【００１９】
本発明の有益な効果は：本発明のパソコンデスクの装飾品はファンとして使われることができ、熱い天気の時に風を吹け、また前記照明機構は夜間にデスクを明るく照らすことができ、キーボードを打つこと又は字を書くことに便利である。
【００２０】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。
【図１】
2020182799.tif 000003
【図２】
2020182799.tif 000004
【図３】
2020182799.tif 000005
【図４】
2020182799.tif 000006
【手続補正書】
【提出日】令和2年1月8日(2020.1.8)
【手続補正１】
【補正対象書類名】特許請求の範囲
【補正対象項目名】全文
【補正方法】変更
【補正の内容】
【特許請求の範囲】
【請求項１】
正面視で、円柱体とベースとを含み、前記円柱体が前記ベースの上側面にスライドできるように設置され、前記円柱体の右側面には収納チャンバが設置され、前記収納チャンバの中にはファン機構が設置され、前記円柱体の左側面には照明チャンバが設置され、前記照明チャンバの中には照明機構が設置され、前記円柱体の頂面には二組の固定ロッドが固定的に設置され、二組の前記固定ロッドの高さは異なり、前記固定ロッドの頂面には蝶形装飾品が固定的に設置され、前記蝶形装飾品は軟質の設計であり、前記蝶形装飾品は風に吹き付けられると揺れ動け、前記収納チャンバの左側の前記円柱体の中には伝動チャンバが設置され、前記伝動チャンバの左側の前記円柱体の中には動力チャンバが設置され、前記動力チャンバの中には動力を生成し前記ファン機構に伝達できる動力機構が設置され、前記動力チャンバの底部の前記円柱体の中には中部空きチャンバが設置され、前記中部空きチャンバの頂部が前記動力チャンバの底部と連通しており、前記ベースの頂面には円柱ブロックが固定的に設置され、前記円柱ブロックが前記円柱体と隙間によって協働され、前記円柱ブロックの頂部面には円形溝が設置され、前記円形溝の中には歯付き円柱カバーが固定的に設置され、前記歯付き円柱カバーの中には上下に伸びている長ラックが回転できるように設置され、前記長ラックの底部側面には旋転ブロックが固定的に設置され、前記旋転ブロックが前記ベースと回転できるように連結され、前記長ラックの頂部が前記伝動チャンバの中に伸びており、前記ベースの頂部面には二組の左右対称の固定ブロックが固定的に設置され、前記固定ブロックの中には前記円柱体の上昇と下降とを制御できる昇降機構が設置されたことを特徴とするパソコンデスクの装飾品。
【請求項２】
前記ファン機構は前記伝動チャンバと前記収納チャンバとの間に回転できるように設置された回転円柱を含み、前記回転円柱の左側には前記伝動チャンバの中に位置している大ギヤが固定的に設置され、前記大ギヤが前記長ラックと噛み合っており、前記回転円柱の右側の伸びている部分が前記収納チャンバの中に伸びており、また前記回転円柱において右側に近接した外周には支持板が固定的に設置され、前記支持板の中には長空きチャンバが設置され、前記長空きチャンバの中にはファン軸が回転できるように且つ水平に設置され、また前記ファン軸の外周にはファンが固定的に設置され、前記長空きチャンバの中に位置している前記ファン軸の外周には従動プーリが固定的に設置され、前記回転円柱の中には動力軸が回転できるように設置され、前記動力軸の右側の伸びている部分が前記長空きチャンバの中に伸びており、また前記動力軸の右側末端には動力プーリが固定的に設置され、前記動力プーリと前記従動プーリとが第一ベルトによって連結されたことを特徴とする請求項１に記載のパソコンデスクの装飾品。
【請求項３】
前記動力機構は前記動力チャンバの左側内壁の中に固定的に嵌められたモーターを含み、前記モーターが前記動力軸と動力が伝達できるように連結され、前記動力チャンバの中に位置している前記動力軸の外周には第一プーリが固定的に設置され、前記中部空きチャンバの中には横軸が回転できるように設置され、前記横軸の外周には第二プーリが固定的に設置され、前記第二プーリと前記第一プーリとの間には第二ベルトによって連結され、前記横軸の外周には二組の扇状ギヤが固定的に設置され、二組の前記扇状ギヤがそれぞれ前記第二プーリの左右両側に位置しており、前記円形溝と前記中部空きチャンバとの間には上下に伸びている伝動回転軸が回転できるように設置され、前記伝動回転軸の頂部末端にはフェイスギヤが固定的に設置され、前記フェイスギヤは前記扇状ギヤと間欠的に噛み合うことができ、それによって時計回り方向又は反時計回り方向への回転を実現し、前記伝動回転軸の底端には前記円形溝の中に位置している第二ギヤが固定的に設置され、前記第二ギヤが前記歯付き円柱カバーと噛み合っており、また前記第二ギヤは前記歯付き円柱カバーでスライドすることができることを特徴とする請求項２に記載のパソコンデスクの装飾品。
【請求項４】
前記昇降機構は前記固定ブロックの片側端面に設置されたスライド溝を含み、二組の前記スライド溝の中にはいずれもスライドブロックが対称的にスライドできるように設置され、二組の前記スライドブロックの間には円環が固定的に設置され、前記円環が前記円柱体の外周にカバーされ、また前記円環が前記円柱体と回転できるように連結され、左側に位置している前記スライド溝の中にはネジボルト軸が回転できるように設置され、前記ネジボルト軸の頂部の伸びている部分が前記固定ブロックを貫通しており、また前記ネジボルト軸の頂部末端にはつまみが固定的に設置され、前記ネジボルト軸が前記スライドブロックとネジ山によって嵌合されたことを特徴とする請求項１に記載のパソコンデスクの装飾品。
【請求項５】
前記照明機構は前記照明チャンバの中に設置された揺れ動きロッドを含み、前記揺れ動きロッドの頂部が前記照明チャンバの頂壁とヒンジで連結され、前記揺れ動きロッドの底部には照明ライトが固定され、前記照明チャンバの頂部の前記円柱体の中には小スライド溝が設置され、前記小スライド溝の中にはネジ山ブロックがスライドできるように設置され、前記小スライド溝の左側には蝶形つまみが回転できるように設置され、前記蝶形つまみの右側面にはねじロッドが固定的に設置され、前記ねじロッドが前記ネジ山ブロックとネジ山によって嵌合され、前記ネジ山ブロックの右側面には引き紐が固定的に設置され、前記引き紐が前記円柱体の中に回転できるように設置された二組の糸巻き輪を巻き付けた後に前記揺れ動きロッドと固定されたことを特徴とする請求項１に記載のパソコンデスクの装飾品。
【手続補正２】
【補正対象書類名】明細書
【補正対象項目名】全文
【補正方法】変更
【補正の内容】
【発明の詳細な説明】
【技術分野】
【０００１】
本発明は装飾品技術分野に関わり、具体的にはパソコンデスクの装飾品である。
【背景技術】
【０００２】
今、市販されているデスクを飾る装飾品は大体装飾の機能しか持っていないため、機能と構成とが単一で、デザインは古く、デスクに置いても置かなくても差別はなく、従って、機能が多様なパソコンデスクの装飾品をデザインする必要がある。
【先行技術文献】
【特許文献】
【０００３】
【特許文献１】中国特許出願公開第１０５３６１５３７号明細書
【発明の概要】
【発明が解決しようとする課題】
【０００４】
本発明はパソコンデスクの装飾品を提供し、既存技術にある上記欠点を解消することを目的とする。
【課題を解決するための手段】
【０００５】
本発明のパソコンデスクの装飾品は、円柱体とベースとを含み、前記円柱体が前記ベースの上側面にスライドできるように設置され、前記円柱体の右側面には収納チャンバが設置され、前記収納チャンバの中にはファン機構が設置され、前記円柱体の左側面には照明チャンバが設置され、前記照明チャンバの中には照明機構が設置され、前記円柱体の頂面には二組の固定ロッドが固定的に設置され、二組の前記固定ロッドの高さは異なり、前記固定ロッドの頂面には蝶形装飾品が固定的に設置され、前記蝶形装飾品は軟質の設計であり、前記蝶形装飾品は風に吹き付けられると揺れ動け、前記収納チャンバの左側の前記円柱体の中には伝動チャンバが設置され、前記伝動チャンバの左側の前記円柱体の中には動力チャンバが設置され、前記動力チャンバの中には動力を生成し前記ファン機構に伝達できる動力機構が設置され、前記動力チャンバの底部の前記円柱体の中には中部空きチャンバが設置され、前記中部空きチャンバの頂部が前記動力チャンバの底部と連通しており、前記ベースの頂面には円柱ブロックが固定的に設置され、前記円柱ブロックが前記円柱体と隙間によって協働され、前記円柱ブロックの頂部面には円形溝が設置され、前記円形溝の中には歯付き円柱カバーが固定的に設置され、前記歯付き円柱カバーの中には上下に伸びている長ラックが回転できるように設置され、前記長ラックの底部側面には旋転ブロックが固定的に設置され、前記旋転ブロックが前記ベースと回転できるように連結され、前記長ラックの頂部が前記伝動チャンバの中に伸びており、前記ベースの頂部面には二組の左右対称の固定ブロックが固定的に設置され、前記固定ブロックの中には前記円柱体の上昇と下降とを制御できる昇降機構が設置された。
【０００６】
さらなる技術プランには、前記ファン機構は前記伝動チャンバと前記収納チャンバとの間に回転できるように設置された回転円柱を含み、前記回転円柱の左側には前記伝動チャンバの中に位置している大ギヤが固定的に設置され、前記大ギヤが前記長ラックと噛み合っており、前記回転円柱の右側の伸びている部分が前記収納チャンバの中に伸びており、また前記回転円柱において右側に近接した外周には支持板が固定的に設置され、前記支持板の中には長空きチャンバが設置され、前記長空きチャンバの中にはファン軸が回転できるように且つ水平に設置され、また前記ファン軸の外周にはファンが固定的に設置され、前記長空きチャンバの中に位置している前記ファン軸の外周には従動プーリが固定的に設置され、前記回転円柱の中には動力軸が回転できるように設置され、前記動力軸の右側の伸びている部分が前記長空きチャンバの中に伸びており、また前記動力軸の右側末端には動力プーリが固定的に設置され、前記動力プーリと前記従動プーリとが第一ベルトによって連結された。
【０００７】
さらなる技術プランには、前記動力機構は前記動力チャンバの左側内壁の中に固定的に嵌められたモーターを含み、前記モーターが前記動力軸と動力が伝達できるように連結され、前記動力チャンバの中に位置している前記動力軸の外周には第一プーリが固定的に設置され、前記中部空きチャンバの中には横軸が回転できるように設置され、前記横軸の外周には第二プーリが固定的に設置され、前記第二プーリと前記第一プーリとの間には第二ベルトによって連結され、前記横軸の外周には二組の扇状ギヤが固定的に設置され、二組の前記扇状ギヤがそれぞれ前記第二プーリの左右両側に位置しており、前記円形溝と前記中部空きチャンバとの間には上下に伸びている伝動回転軸が回転できるように設置され、前記伝動回転軸の頂部末端にはフェイスギヤが固定的に設置され、前記フェイスギヤは前記扇状ギヤと間欠的に噛み合うことができ、それによって時計回り方向又は反時計回り方向への回転を実現し、前記伝動回転軸の底端には前記円形溝の中に位置している第二ギヤが固定的に設置され、前記第二ギヤが前記歯付き円柱カバーと噛み合っており、また前記第二ギヤは前記歯付き円柱カバーでスライドすることができる。
【０００８】
さらなる技術プランには、前記昇降機構は前記固定ブロックの片側端面に設置されたスライド溝を含み、二組の前記スライド溝の中にはいずれもスライドブロックが対称的にスライドできるように設置され、二組の前記スライドブロックの間には円環が固定的に設置され、前記円環が前記円柱体の外周にカバーされ、また前記円環が前記円柱体と回転できるように連結され、左側に位置している前記スライド溝の中にはネジボルト軸が回転できるように設置され、前記ネジボルト軸の頂部の伸びている部分が前記固定ブロックを貫通しており、また前記ネジボルト軸の頂部末端にはつまみが固定的に設置され、前記ネジボルト軸が前記スライドブロックとネジ山によって嵌合された。
【０００９】
さらなる技術プランには、前記照明機構は前記照明チャンバの中に設置された揺れ動きロッドを含み、前記揺れ動きロッドの頂部が前記照明チャンバの頂壁とヒンジで連結され、前記揺れ動きロッドの底部には照明ライトが固定され、前記照明チャンバの頂部の前記円柱体の中には小スライド溝が設置され、前記小スライド溝の中にはネジ山ブロックがスライドできるように設置され、前記小スライド溝の左側には蝶形つまみが回転できるように設置され、前記蝶形つまみの右側面にはねじロッドが固定的に設置され、前記ねじロッドが前記ネジ山ブロックとネジ山によって嵌合され、前記ネジ山ブロックの右側面には引き紐が固定的に設置され、前記引き紐が前記円柱体の中に回転できるように設置された二組の糸巻き輪を巻き付けた後に前記揺れ動きロッドと固定された。
【発明の効果】
【００１０】
本発明の有益な効果は：本発明のパソコンデスクの装飾品はファンとして使われることができ、熱い天気の時に風を吹け、また前記照明機構は夜間にデスクを明るく照らすことができ、キーボードを打つこと又は字を書くことに便利である。
【図面の簡単な説明】
【００１１】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明のパソコンデスクの装飾品の内部全体構成概略図
【図２】図２は本発明の中の大ギヤのところの部分拡大概略図
【図３】図３は本発明の中のフェイスギヤのところの部分拡大概略図
【図４】図４は本発明の中の糸巻き輪のところの部分拡大概略図
【発明を実施するための形態】
【００１３】
図１〜４を参照し、本発明の実施例のパソコンデスクの装飾品は、円柱体１０とベース１２とを含み、前記円柱体１０が前記ベース１２の上側面にスライドできるように設置され、前記円柱体１０の右側面には収納チャンバ１１が設置され、前記収納チャンバ１１の中にはファン機構７１が設置され、前記円柱体１０の左側面には照明チャンバ２４が設置され、前記照明チャンバ２４の中には照明機構７３が設置され、前記円柱体１０の頂面には二組の固定ロッド１７が固定的に設置され、二組の前記固定ロッド２７の高さは異なり、前記固定ロッド２７の頂面には蝶形装飾品２８が固定的に設置され、前記蝶形装飾品２８は軟質の設計であり、前記蝶形装飾品２８は風に吹き付けられると揺れ動け、前記収納チャンバ１１の左側の前記円柱体１０の中には伝動チャンバ３８が設置され、前記伝動チャンバ３８の左側の前記円柱体１０の中には動力チャンバ４０が設置され、前記動力チャンバ４０の中には動力を生成し前記ファン機構７１に伝達できる動力機構７４が設置され、前記動力チャンバ４０の底部の前記円柱体１０の中には中部空きチャンバ５９が設置され、前記中部空きチャンバ５９の頂部が前記動力チャンバ４０の底部と連通しており、前記ベース１２の頂面には円柱ブロック１３が固定的に設置され、前記円柱ブロック１３が前記円柱体１０と隙間によって協働され、前記円柱ブロック１３の頂部面には円形溝１４が設置され、前記円形溝１４の中には歯付き円柱カバー１５が固定的に設置され、前記歯付き円柱カバー１５の中には上下に伸びている長ラック１７が回転できるように設置され、前記長ラック１７の底部側面には旋転ブロック６０が固定的に設置され、前記旋転ブロック６０が前記ベース１２と回転できるように連結され、前記長ラック１７の頂部が前記伝動チャンバ３８の中に伸びており、前記ベース１２の頂部面には二組の左右対称の固定ブロック１９が固定的に設置され、前記固定ブロック１９の中には前記円柱体１０の上昇と下降とを制御できる昇降機構７２が設置された。
【００１４】
有益な又は例示のように、前記ファン機構７１は前記伝動チャンバ３８と前記収納チャンバ１１との間に回転できるように設置された回転円柱３７を含み、前記回転円柱３７の左側には前記伝動チャンバ３８の中に位置している大ギヤ３９が固定的に設置され、前記大ギヤ３９が前記長ラック１７と噛み合っており、前記回転円柱３７の右側の伸びている部分が前記収納チャンバ１１の中に伸びており、また前記回転円柱３７において右側に近接した外周には支持板２９が固定的に設置され、前記支持板２９の中には長空きチャンバ３４が設置され、前記長空きチャンバ３４の中にはファン軸３１が回転できるように且つ水平に設置され、また前記ファン軸３１の外周にはファン３０が固定的に設置され、前記長空きチャンバ３４の中に位置している前記ファン軸３１の外周には従動プーリ３２が固定的に設置され、前記回転円柱３７の中には動力軸３６が回転できるように設置され、前記動力軸３６の右側の伸びている部分が前記長空きチャンバ３４の中に伸びており、また前記動力軸３６の右側末端には動力プーリ６１が固定的に設置され、前記動力プーリ６１と前記従動プーリ３２とが第一ベルト３３によって連結され、前記動力軸３６の回転によって、前記ファン軸３１を回転連動させ、更に前記ファン３０が風を吹くことができ、前記円柱体１０が上方へスライドすることによって、前記長ラック１７が前記大ギヤ３９を引き動かして回転させ、更に前記ファン３０が前記収納チャンバ１１の中に収納され又は前記収納チャンバ１１から回転して出ることができる。
【００１５】
有益な又は例示のように、前記動力機構７４は前記動力チャンバ４０の左側内壁の中に固定的に嵌められたモーター４１を含み、前記モーター４１が前記動力軸３６と動力が伝達できるように連結され、前記動力チャンバ４０の中に位置している前記動力軸３６の外周には第一プーリ４２が固定的に設置され、前記中部空きチャンバ５９の中には横軸４４が回転できるように設置され、前記横軸４４の外周には第二プーリ４６が固定的に設置され、前記第二プーリ４６と前記第一プーリ４２との間には第二ベルト４３によって連結され、前記横軸４４の外周には二組の扇状ギヤ４５が固定的に設置され、二組の前記扇状ギヤ４５がそれぞれ前記第二プーリ４６の左右両側に位置しており、前記円形溝１４と前記中部空きチャンバ５９との間には上下に伸びている伝動回転軸１８が回転できるように設置され、前記伝動回転軸１８の頂部末端にはフェイスギヤ４７が固定的に設置され、前記フェイスギヤ４７は前記扇状ギヤ４５と間欠的に噛み合うことができ、それによって時計回り方向又は反時計回り方向への回転を実現し、前記伝動回転軸１８の底端には前記円形溝１４の中に位置している第二ギヤ１６が固定的に設置され、前記第二ギヤ１６が前記歯付き円柱カバー１５と噛み合っており、また前記第二ギヤ１６は前記歯付き円柱カバー１５でスライドすることができ、前記モーター４１の作動によって、前記第一プーリ４２が前記横軸４４を回転連動させ、更に前記扇状ギヤ４５が前記フェイスギヤ４７を連動させて時計回り方向と反時計回り方向に回転させ、それによって前記円柱体１０の揺れ動きを実現し、更に前記ファン３０が揺れ動いて風を吹くことができる。
【００１６】
有益な又は例示のように、前記昇降機構７２は前記固定ブロック１９の片側端面に設置されたスライド溝６７を含み、二組の前記スライド溝６７の中にはいずれもスライドブロック２２が対称的にスライドできるように設置され、二組の前記スライドブロック２２の間には円環２３が固定的に設置され、前記円環２３が前記円柱体１０の外周にカバーされ、また前記円環２３が前記円柱体１０と回転できるように連結され、左側に位置している前記スライド溝６７の中にはネジボルト軸２１が回転できるように設置され、前記ネジボルト軸２１の頂部の伸びている部分が前記固定ブロック１９を貫通しており、また前記ネジボルト軸２１の頂部末端にはつまみ２０が固定的に設置され、前記ネジボルト軸２１が前記スライドブロック２２とネジ山によって嵌合され、手で前記つまみ２０を回すことによって、前記ネジボルト軸２１が前記スライドブロック２２を上下に移動連動させ、更に前記円柱体１０の昇降を実現する。
【００１７】
有益な又は例示のように、前記照明機構７３は前記照明チャンバ２４の中に設置された揺れ動きロッド２６を含み、前記揺れ動きロッド２６の頂部が前記照明チャンバ２４の頂壁とヒンジで連結され、前記揺れ動きロッド２６の底部には照明ライト２５が固定され、前記照明チャンバ２４の頂部の前記円柱体１０の中には小スライド溝５１が設置され、前記小スライド溝５１の中にはネジ山ブロック５０がスライドできるように設置され、前記小スライド溝５１の左側には蝶形つまみ４８が回転できるように設置され、前記蝶形つまみ４８の右側面にはねじロッド４９が固定的に設置され、前記ねじロッド４９が前記ネジ山ブロック５０とネジ山によって嵌合され、前記ネジ山ブロック５０の右側面には引き紐５３が固定的に設置され、前記引き紐５３が前記円柱体１０の中に回転できるように設置された二組の糸巻き輪５２を巻き付けた後に前記揺れ動きロッド２６と固定され、手で前記蝶形つまみ４８を回すことによって、ネジ山ブロック５０が左右にスライドすることができ、更に揺れ動きロッド２６が揺れ動け、照明角度を調節できる。
【００１８】
使用の時、最初につまみ２０を手で回し、それによってネジボルト軸２１がスライドブロック２２を上方へ移動連動させ、更に円柱体１０が上方へ移動することを実現し、円柱体１０が上方へ移動し、それによって長ラック１７が大ギヤ３９を回転連動させ、更に回転円柱３７が支持板２９を反転連動させ、それによってファン３０が収納チャンバ１１の外部まで反転し、この時にモーター４１を制御して作動させ、それによって第一プーリ４２が第二プーリ４６を回転連動させ、更に扇状ギヤ４５が間欠的にフェイスギヤ４７を時計回り方向又は反時計回り方向へ回転連動させ、ファン３０の揺れ動きを実現し、またモーター４１が動力軸３６を回転連動させ、それによってファン軸３１が回転し、更にファン３０が風を吹くことを実現し、前記ファン３０が風を吹く時、気流が蝶形装飾品２８を連動させて揺れ動かせることができ、手で蝶形つまみ４８を回転させることによって、ネジ山ブロック５０が左右へスライドでき、更に揺れ動きロッド２６が揺れ動け、照明角度を調節できる。
【００１９】
本発明の有益な効果は：本発明のパソコンデスクの装飾品はファンとして使われることができ、熱い天気の時に風を吹け、また前記照明機構は夜間にデスクを明るく照らすことができ、キーボードを打つこと又は字を書くことに便利である。
【００２０】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。